(57)【要約】【課題】加工が容易で安価に形成できるリング部材を備えたコンクリートミキサーを提供する。【解決手段】生コンクリートを混練できる羽根を有する２本の回転軸を備え、回転軸の外周には、コンクリート付着防止用の複数のリング部材が遊嵌されてなり、各リング部材は、平帯板を半円状に曲げ加工した４枚のフラットバー１１Ａ，１１Ｂ，１１Ｃ，１１Ｄを組み合わせて形成されたものである。【選択図】図５
2009061639.tif 000002
【特許請求の範囲】
【請求項１】
生コンクリートを混練できる羽根を有する２本の回転軸を備え、各回転軸の外周には、コンクリート付着防止用の複数のリング部材が遊嵌されてなり、各リング部材は、平帯板を半円状に曲げ加工したフラットバーを４枚組み合わせて形成されたものであることを特徴とするコンクリートミキサー。
【請求項２】
前記各フラットバーには所定間隔で座グリ加工した座グリ孔とタップ加工したネジ孔が交互に形成され、表側のフラットバーの座グリ孔に対し裏側に重ね合わされるフラットバーのネジ孔を整合させ、座グリ孔側からネジ孔にボルトを締め付けて前記リング部材が形成されていることを特徴とする請求項１に記載のコンクリートミキサー。
【発明の詳細な説明】
【技術分野】
【０００１】
本発明は、生コンクリートを混練できるコンクリートミキサーに関するものである。
【背景技術】
【０００２】
従来、コンクリートミキサーとして特許文献１に開示されているような構造のものが存在する。
従来、コンクリートミキサーは、セメントと水と砂および砂利等を混練するものであり、コンクリートが内部に付着し硬化すると、混練作用が弱まったり、大きな塊となってコンクリートの中に混入してしまうという不具合が生じてしまうため、従来では、作業終了後に、コンクリートミキサー内を清掃しており、それでも除去できない硬化したコンクリートは、ハンマー等により剥離していた。
【特許文献１】特開２００２−３６２２９号公報
【発明の開示】
【発明が解決しようとする課題】
【０００３】
上記従来のコンクリートミキサーにおいて、コンクリートミキサーの回転軸にコンクリートが付着するのを防止するために、回転軸の外周にリング部材を設ける方策が採られているが、リング部材は回転軸に係合させるために、２分割し、連結部には切欠部等を形成させて、２分割したものを切欠部で重ね合わせており、また、他の方法として、分割されたリング部材の一方側にボルト部を形成し、他方側に設けた袋ナットとの組み合わせによって着脱自在に結合するような構造としており、リング部材の加工に手間がかかり、リング部材のコストが増大してしまうという問題点があった。
【課題を解決するための手段】
【０００４】
本発明は上記従来の問題点に鑑み案出したものであって、コンクリートミキサーの回転軸へのコンクリートの付着を防止するリング部材を簡単且つ安価なものとし得るコンクリートミキサーを提供するものであり、その請求項１は、生コンクリートを混練できる羽根を有する２本の回転軸を備え、各回転軸の外周には、コンクリート付着防止用の複数のリング部材が遊嵌されてなり、各リング部材は、平帯板を半円状に曲げ加工したフラットバーを４枚組み合わせて形成されたものであることである。
【０００５】
また請求項２は、前記各フラットバーには所定間隔で座グリ加工した座グリ孔とタップ加工したネジ孔が交互に形成され、表側のフラットバーの座グリ孔に対し裏側に重ね合わされるフラットバーのネジ孔を整合させ、座グリ孔側からネジ孔にボルトを締め付けて前記リング部材が形成されていることである。
【発明の効果】
【０００６】
本発明のコンクリートミキサーは、生コンクリートを混練できる羽根を有する２本の回転軸を備え、各回転軸の外周には、コンクリート付着防止用の複数のリング部材が遊嵌されてなり、各リング部材は、平帯板を半円状に曲げ加工したフラットバーを４枚組み合わせて形成されたものであることにより、リング部材は平帯板を半円状に曲げ加工して安価に形成させることができ、この形成したフラットバーを４枚組み合わせることで良好なリング部材が形成され、リング部材は複雑な加工を要せず安価なものとすることができ、これを良好にコンクリートミキサーの回転軸の外周に遊嵌させて、コンクリートミキサーの回転軸へのコンクリートの付着を効果的に防止することができ、ハンマー等によりコンクリートの剥離作業を行う必要がなくなるものとなる。
【０００７】
また、前記各フラットバーには所定間隔で座グリ加工した座グリ孔とタップ加工したネジ孔が交互に形成され、表側のフラットバーの座グリ孔に対し裏側に重ね合わされるフラットバーのネジ孔を整合させ、座グリ孔側からネジ孔にボルトを締め付けて前記リング部材が形成されていることにより、リング部材は４枚の同一形状のフラットバーを裏表にして重ね合わせ、表側のフラットバーの座グリ孔に対し裏側に重ね合わされるフラットバーのネジ孔を整合させて、座グリ孔側からネジ孔にボルトを締め付けて良好に裏表のフラットバーを連結させてリング部材を形成することができ、従来のようにリング部材を２分割した時の結合部に複雑な加工を施す必要がなく、リング部材の製作および回転軸への組み付け施工等が容易なものとなる。
【実施例】
【０００８】
以下、本発明の実施例を図面に基づいて説明する。
図１は、コンクリートミキサーの平面概略構成図を示すものであり、コンクリートミキサー１は、底面に開閉式の図示しないコンクリートの排出口を有し、上面側が開放された箱状の箱枠体２内に、平行に２本の第１回転軸３と第２回転軸４がそれぞれ回転可能に設けられており、第１回転軸３および第２回転軸４には、約４５°の角度で外側へ突出された複数のアーム５，５，５が間隔をおいて設けられており、各アーム５の先端には、それぞれ羽根６が連結されたものとなっており、回転軸３，４が回転した時には複数の羽根６の軌跡がスパイラル状（螺旋状）となるように設定されている。
【０００９】
第１回転軸３には、箱枠体２の外側で同調ギア７ａが連結されており、また第２回転軸４には、箱枠体２の外側で同調ギア７ｂが連結されており、同調ギア７ａと７ｂは噛合されており、同調ギア７ａはモーター９のスプロケット９ａにチェーン８を介して連繋されており、モーター９の運転によりチェーン８を介して動力が伝達され、同調ギア７ａ，７ｂを介して第１回転軸３と第２回転軸４が反対方向に同期回転されるように構成されて、箱枠体２の内部で、投入されたセメントと水と砂および砂利が良好に混練されるように構成されている。
このコンクリートミキサー１の第１回転軸３および第２回転軸４の外周には、複数のリング部材１０，１０，１０が遊嵌されている。このリング部材１０の内径寸法は、例えば回転軸３，４の直径の１．３倍〜２倍程度の寸法に設定されている。
【００１０】
各リング部材１０は、図２に示す半円状のフラットバー１１を４枚組み合わせて形成されたものである。
図２に示すように、各フラットバー１１は、平帯板をベンダーにより半円状に曲げ加工して形成されたものであり、座グリ孔１３とネジ孔１２が間隔をおいて交互に形成されており、左側の当接端面１１ａ側から右側の当接端面１１ｂ側に向かって座グリ孔１３，ネジ孔１２，座グリ孔１３，ネジ孔１２，座グリ孔１３，ネジ孔１２がそれぞれ形成されている。
ネジ孔１２は、タップ加工により内周に雌ネジが形成されたものであり、また座グリ孔１３は、座グリ加工が施されて、後述する六角孔付きボルトの頭部１４ａが嵌まり込むことのできる座グリ部が形成されたものである。
【００１１】
図２のフラットバー１１を４枚重ね合わせて形成したリング部材１０の表側からの正面図を図３に示し、また図４には、図３の側面部分断面図を示す。
４枚の同一のフラットバー１１を組み合わせる前の分解図は図５に示す通りであり、表側は第１フラットバー１１Ａと第２フラットバー１１Ｂで構成され、裏側は第３フラットバー１１Ｃと第４フラットバー１１Ｄで構成されるものであり、表側では、各フラットバー１１Ａ，１１Ｂを裏返して一対対向状に、当接端面１１ａ，１１ｂを水平にして配設し、裏側では、各フラットバー１１Ｃ，１１Ｄを一対対向状に、当接端面１１ａ，１１ｂを水平面に対し傾斜させて配置させる。
このような配置において、表側の第１フラットバー１１Ａと第２フラットバー１１Ｂの当接端面１１ａ，１１ｂを当接させてリング状にし、その裏側に、裏側の第３フラットバー１１Ｃと第４フラットバー１１Ｄを、それぞれ当接端面１１ａ，１１ｂを当接させてリング状にして重ね合わせると、第１フラットバー１１Ａの座グリ孔１３ａと第３フラットバー１１Ｃのネジ孔１２ａが整合されることとなり、また、第２フラットバー１１Ｂの座グリ孔１３ｂの裏側に第４フラットバー１１Ｄのネジ孔１２ｂが整合されることとなる。
【００１２】
図４に示すように、整合された座グリ孔１３ａとネジ孔１２ａに対し、座グリ孔１３ａ側から六角孔付きボルト１４を差し込み、六角孔付きボルト１４のボルト部１４ｂをネジ孔１２ａ内に締め付けてゆくと、六角孔付きボルト１４の頭部１４ａは座グリ孔１３ａ内に嵌め込み状となり、頭部１４ａが外側へ突出することがなく、頭部１４ａによりコンクリートミキサー１内のアーム５や回転軸３，４を傷つけることがなくなるものである。
なお、六角孔付きボルト１４は、現場において締め付けて、第１回転軸３および第２回転軸４の外周にリング部材１０を遊嵌させた後に、ネジ孔１２ａ側から溶接して、ネジ孔１２ａにボルト部１４ｂを固定させて抜け止めさせておくことができるものである。
【００１３】
このようにして、それぞれ、整合された表側の座グリ孔１３と裏側のネジ孔１２に六角孔付きボルト１４を締め付けて、強固に４枚の同一形状のフラットバー１１を組み合わせ、第１回転軸３および第２回転軸４の外周にリング状のリング部材１０を形成することができるものであり、各リング部材１０により、第１回転軸３および第２回転軸４にコンクリートが付着することを良好に防止することができるものとなり、回転軸３，４に付着して硬化するコンクリートがなくなるため、従来のようなハンマー等を用いた剥離作業を行う必要がないものとなる。
【００１４】
このように本例では、平帯板を半円状に曲げ加工したフラットバー１１を４枚組み合わせて良好にリング部材１０を形成させることができ、現場でコンクリートミキサーの回転軸３，４の外周に良好にリング部材１０を組み付けることができるものであり、各フラットバー１１の当接端面１１ａ，１１ｂには、切欠き等の接合部を何ら形成させておく必要がなく、各フラットバー１１は安価に形成することができるものであるため、コストが低減されて、リング部材１０の組み付け作業等も容易に行うことができるものとなる。
【図面の簡単な説明】
【００１５】
【図１】コンクリートミキサーの平面概略構成図である。
【図２】リング部材を構成する半円状のフラットバーの正面構成図である。
【図３】４枚のフラットバーを組み合わせて形成されたリング部材の正面構成図である。
【図４】図３の一部断面側面構成図である。
【図５】表側の一対のフラットバーと、裏側の一対のフラットバーを、組み合わせる前の分解構成図である。
【符号の説明】
【００１６】
１  コンクリートミキサー
２  箱枠体
３  第１回転軸
４  第２回転軸
５  アーム
６  羽根
７ａ，７ｂ  同調ギア
８  チェーン
９  モーター
１０  リング部材
１１，１１Ａ，１１Ｂ，１１Ｃ，１１Ｄ  フラットバー
１１ａ，１１ｂ  当接端面
１２，１２ａ，１２ｂ  ネジ孔
１３，１３ａ，１３ｂ  座グリ孔
１４  六角孔付きボルト
１４ａ  頭部
１４ｂ  ボルト部
【図１】
2009061639.tif 000003
【図２】
2009061639.tif 000004
【図３】
2009061639.tif 000005
【図４】
2009061639.tif 000006
【図５】
2009061639.tif 000007